(57)【要約】【課題】イヤホンジャックアクセサリーをペンの装飾として利用でき、イヤホンジャックアクセサリーの紛失も防げるペンの提供。【解決手段】先端をペンとしての機能部３にすると共に他端や他部にイヤホンジャックアクセサリー２のプラグ部６を挿し込める装着孔４を設けたペンとする。装着孔４は挿し込まれたプラグ部６を着脱が可能な係合状態に維持する。【選択図】図１
0003191547.tif 000002
【実用新案登録請求の範囲】
【請求項１】
一端にペンとしての機能部を備えると共に他端にイヤホンジャックアクセサリーのプラグ部を装着できる装着孔を有し、
前記装着孔は、前記イヤホンジャックアクセサリーのプラグ部が差し込まれて着脱が可能な係合状態とされるものであることを特徴としたイヤホンジャックアクセサリーを装着できるペン。
【請求項２】
前記装着孔は、前記プラグ部周面の凹凸に対応した凸凹を内面に有し、これにより、前記の着脱が可能な係合状態とされることを特徴とした請求項１に記載のイヤホンジャックアクセサリーを装着できるペン。
【請求項３】
ペンは電子機器の操作に用いるタッチペンであることを特徴とした請求項１又は２に記載のイヤホンジャックアクセサリーを装着できるペン。
【請求項４】
ペンは筆記具であることを特徴とした請求項１又は２に記載のイヤホンジャックアクセサリーを装着できるペン。
【考案の詳細な説明】
【技術分野】
【０００１】
本考案は、いわゆるペンであって、携帯電話機等のイヤホンジャックに取り付けるイヤホンジャックアクセサリーをアクセサリーとして利用できるものに関する。
【背景技術】
【０００２】
従来、筆記具その他電子機器を画面から操作するための操作用ペンなど、広くペンと呼ばれるものに種々アクセサリーを装着したものは知られている。
例えば、特許文献１の筆記具１では、円筒状の基部２ａの上端に平坦な基盤部２ｂを設け、基盤部に具象化立体像Ａを一体に設けたノック部材２が記載されている。ノック部材２は前記の具象化立体像Ａによりアクセサリー効果を発揮するものであり、基部２ａを筆記具１のノック機構１ａに差し込んで装着し、筆記具１を装飾している。
また、特許文献２のシャープペンシルは胴体１の内部に操作筒５を収め、操作筒５を下方へ押圧することで芯出しを行える構造であり、その操作筒５の上端部にアクセサリーとしての機能を有するノック部材６の基部が挿し込まれている。
【先行技術文献】
【特許文献】
【０００３】
【特許文献１】実開平６−４６９８６号公報
【特許文献２】特開２００１−１８０１８２号公報
【考案の概要】
【考案が解決しようとする課題】
【０００４】
従来のペンアクセサリーは対象とした１本のペンに固有であり、アクセサリーだけをペンから独立した商品として扱ったり、これを種々交換してペンに取り付け、楽しもうという考えがない。
例えば、特許文献１の筆記具は、ノック部材２に具象化立体像Ａを取り付けやすくするために平坦な基盤部２ｂを設けたことを特徴とするだけのものである。ノック部材２が独立して商品となることは考えられない。
【０００５】
特許文献２のシャープペンシルは、操作筒５をノック部材６と押圧部材７のいずれでも操作できるようにして、芯出し操作を便利にすることを目的としたものである。この場合にノック部材６はアクセサリー的な表現で記載され、操作筒５の端部に装着されているだけであり、ノック部材６を種々に交換して楽しもうという技術的思想はどこにもない。また、特許文献１の場合と同様に、ノック部材６が独立して商品となるものであることも考えられない。
この考案は、ペンに対する装飾効果を簡単に獲得でき、かつ、独立して商品となっているアクセサリーを利用することにより、簡単に交換できて手軽に、多様に装飾できる効果のあるペンの提供を課題とする。
【課題を解決するための手段】
【０００６】
ペンにイヤホンジャックアクセサリーを装着できる部分を設ける。
イヤホンジャックアクセサリーは、すでに、広く安価に市販されているものであり、携帯電話機、携帯用音響機器等に設けたイヤホンジャックに取り付けて、イヤホンジャック内に埃等が侵入するのを防ぐと共に前記機器の装飾となるものである。
イヤホンジャックアクセサリーはその用途からどれも装飾部分とプラグ部を備える。装飾部分は好みに応じて選択できるように多種多様のものが準備されている一方、プラグ部はイヤホンジャック（孔側）の規格に適合させた安定して装着可能な形状とされている。
【０００７】
そして、ペンは一端にペンとしての機能部を備えると共に他の部分、例えば、他端にイヤホンジャックと同じ半径、深さの装着孔を備える。イヤホンジャックアクセサリーの前記プラグ部とペンに設けた前記の装着孔とは、ペンが多少乱暴に扱われても装着孔に差し込まれたプラグ部が抜け落ちない程度の、着脱可能な係合状態とされる。
ペンとしての機能部は、鉛芯、インク出し鋼球、インク誘導フェルトなどの筆記のための部分やタッチパネルに対するタッチペンなどの押圧用あるいは接触用の部分である。
また、前記装着孔は、前記プラグ部が周面に凹凸を有する場合は孔内周面に対応した凹凸を設けることがある。このようにすると、前記の着脱可能な係合状態を作り出すのに有効である。
【考案の効果】
【０００８】
携帯電話機等のイヤホンジャックに取り付けるイヤホンジャックアクセサリーをペンの装飾に利用して装飾効果の高い個性的なペンを得られる。イヤホンジャックアクセサリーは、前記のように、独立した商品として多種多様のものが準備されており、好みによって自由に交換できるようになっているので、お気に入りに装飾したペンを楽しむことができる。
また、イヤホンジャックアクセサリーが小さい場合には、携帯電話機などから取りはずして紛失してしまうことも多いが、ペンに装着できればペンがアクセサリーの置き場所として機能し、高い割合で紛失を防止できる。
【図面の簡単な説明】
【０００９】
【図１】装着するイヤホンジャックアクセサリーと共に示したペンの斜視図（実施例１）。
【図２】（イ）は、イヤホンジャックアクセサリーを取り付ける状態の多機能携帯電話機を示した斜視図。（ロ）は、同取り付けた状態で示す斜視図。
【図３】装着するイヤホンジャックアクセサリーと共に示したペンの一部破断正面図であり、（イ）は分離状態、（ロ）は装着状態（実施例１）。
【図４】装着するイヤホンジャックアクセサリーと共に示したペンの一部破断正面図であり、（イ）は分離状態、（ロ）は装着状態（実施例２）本考案の実施例２に係るペンの断面模式図である。
【図５】（イ）は装着孔部分を分解して示す斜視図、（ロ）は、装着孔部分の縦断面図（実施例３）。
【図６】（イ）はペン（実施例４）の斜視図であり、（ロ）は複数のイヤホンジャックアクセサリーを取り付けた状態の斜視図。
【考案を実施するための形態】
【００１０】
図１は、本考案によるペン１にイヤホンジャックアクセサリー２を装着する状態で示している。
ペン１は、この例においてはタッチスクリーン用のタッチペンであり、先端にタッチペンとしての機能部である細く突出した機能部３を有している。また、他端に装着孔４が形成されている。
【００１１】
イヤホンジャックアクセサリー２は、市販されているものの一つであり、装飾部５とプラグ部６とからなる。これらは、図２（イ）、（ロ）のように、多機能携帯電話機７がほとんど備えているイヤホンジャック８にプラグ部６を差し込むことにより装着して装飾品として使用される。装飾部５はこの実施例において小鳥を模したものであるが、花や動物その他人形のマスコットなどであり、大きさも素材も多様である。
プラグ部６は装飾部５から突出して設けられており、その外形は使用の目的からして、どれも前記の多機能携帯電話機のイヤホンジャックに安定して装着可能な形状とされている。
プラグ部６における符号９は環状の凸部であり、装着孔４の内周面と係合し、イヤホンジャックアクセサリー２を安定した装着状態にするためのものである。
【００１２】
ペン１に設けた前記の装着孔４は、内部にゴムチューブ１０を貼り付けてある。ゴムチューブ１０の内径はプラグ部６の前記環状凸部９外形よりもわずかに小さくしてある。前記のわずかに小さくする程度は、イヤホンジャックアクセサリー２が前記の装着孔４に差し込まれたとき（図３ロ）、ペン１を多少乱暴に扱っても抜け落ちない程度であって、少なくともペン１を上下逆にしても抜け落ちない程度の、着脱が可能な係合状態となる程度である。すなわち、装着孔４に挿し込まれたプラグ部６は、その環状凸部９が装着孔内面のゴム層との係合により着脱が可能な係合状態となる。
【００１３】
なお、この考案において、前記のように使用するイヤホンジャックアクセサリー２は、多機能携帯電話機７にそれまで使用していたものをペン１へ差し換えて使用しても良いし、別途準備されているものを新たに使用してもよい。多機能携帯電話機７から差し換えて使用する場合には、多機能携帯電話機７にそれまで使用していたものを紛失してしまう心配が軽減する。
【００１４】
図４は、装着孔４に関する第２の実施例であり、前記のゴムチューブ１０に換えてゴムリング１１を装着孔４の内面に接着により固定してある。ゴムリング１１は２段であり、内径は前記プラグ部６の環状凸部９の外形よりも小さい。プラグ部６を差し込むと環状凸部９はゴムリング１１を乗り越えてその下部位置となる。
【００１５】
図５は、装着孔４に関する第３の実施例である。この実施例では、イヤホンジャックアクセサリー２のプラグ部６を係合する部材が挿入筒１２と爪付ばね部材１３とからなり、ペン１の端面に張り出し溝１４を有する挿し込み孔１５が形成されている。
挿入筒１２は筒部１６が前記挿し込み孔１５に挿通される大きさであり、上端部にフランジ１７を有すると共にイヤホンジャックアクセサリー２のプラグ部６を差し込む装着孔４が形成されている。挿入筒１２は、周壁の上部に長窓１８が形成され、下部に位置決め凹所１９が形成されている。前記長窓１８と位置決め凹所１９は、上下方向に位置を揃えて、かつ、直径方向で対向する位置に同じものが同じ配置で形成されている。
【００１６】
爪付ばね部材１３は、水平部分２０両側に爪部分２１を垂直に立ち上がらせ、爪部分２１の対向した内面に複数の係合突起２２を内側へ突出させて形成してある。水平部分２０と両側の爪部分２１は一体に形成され、対向した爪部分２１がどちらも内側へ向くように付勢されるばね性を有する。水平部分２０は前記筒部１６下部の位置決め凹所１９に嵌め込みが可能で筒部１６の直径方向へ横断して装着される。このとき、両側の爪部分２１は、筒部１６の外側に位置し、前記係合突起２２が両側の長窓１８から筒部１６の内側へ突出する（図５ロ）。
【００１７】
挿入筒１２へ爪付ばね部材１３を組み合わせて、ペン１の挿し込み孔１５へ差し込み、筒部１６を接着材などで挿し込み孔１５の内面に固定する。このとき、爪付ばね部材１３の爪部分２１を張り出し溝１４に合わせる。これらがペン１へ装着された状態では、図５（ロ）のように、複数の係合突起２２が両側の長窓１８から内側へ少し飛び出した状態となっている。なお、張り出し溝１４の底壁（縦方向）と爪部分２１の背面との間にはわずかな間隙が設計されており、係合突起２２はわずかに外側へ移動することができる。
このように構成したペン１の装着孔４へイヤホンジャックアクセサリー２のプラグ部６を差し込むと、プラグ部６は両側の係合突起２３との係合により着脱が可能な係合状態となる。
【００１８】
図６は、実施例４を示し、ペン１が他端（機能部３と反対側）以外の他部にも装着孔４を複数備えている例である。他部に装着孔４を設ける手段は種々考えられるが、この例では樹状の突起を備えてその端面に設けている。イヤホンジャックアクセサリー２のプラグ部６は実際のイヤホンプラグと同程度の長さを有するものが大半なので、ペン１に複数の装着孔４を設けるには、プラグ部６を差し込む際、相互に干渉しない配置とする必要がある。
【００１９】
以上、実施例について説明したが、本考案の実施はこのような実施例に限定されない。
例えば、ペン１の内部に電池とＬＥＤを配置しておき、イヤホンジャックアクセサリー２のプラグ部６がペン１の装着孔４に挿し込まれるとスイッチが入り、装飾部５を内部から照明したり、ペン１の機能部３を照明したりするなどのことも考えられる。
ペンは、タッチペン以外に、ボールペン、ノック式ペン、マーカー、鉛筆等の筆記具とすることができる。
【符号の説明】
【００２０】
１    ペン
２    イヤホンジャックアクセサリー
３    機能部
４    装着孔
５    装飾部
６    プラグ部
７    多機能携帯電話機
８    イヤホンジャック
９    環状凸部
１０  ゴムチューブ
【００２１】
１１  ゴムリング
１２  挿入筒
１３  爪付ばね部材
１４  張り出し溝
１５  挿し込み孔
１６  筒部
１７  フランジ
１８  長窓
１９  位置決め凹所
２０  水平部分
２１  爪部分
２２  係合突起
【図１】
0003191547.tif 000003
【図２】
0003191547.tif 000004
【図３】
0003191547.tif 000005
【図４】
0003191547.tif 000006
【図５】
0003191547.tif 000007
【図６】
0003191547.tif 000008